【手続補正書】
【提出日】令和3年9月16日(2021.9.16)
【手続補正１】
【補正対象書類名】特許請求の範囲
【補正対象項目名】全文
【補正方法】変更
【補正の内容】
【特許請求の範囲】
【請求項１】
ウェブ材料（Ｗ）をコア（６２）の周りのログ（６４）に巻き取るための巻直し機（１００）であって、
中心軸の周りに回転可能であり、その周りに巻くべき前記ウェブ材料（Ｗ）が導かれる巻取りドラム（５０）と、
前記巻取りドラム（５０）から間隔を置いて配置され、前記コア（６２）に前記ウェブ材料（Ｗ）を巻き取るときに、前記コア（６２）が通って挿入され、前記ウェブ材料（Ｗ）が通って導かれるニップを前記巻取りドラム（５０）と共に画定する連続ループ（５２）であって、前記連続ループ（５２）が、前記ウェブ材料（Ｗ）を前記コア（６２）の周りに巻き取るための前記ニップでの前記巻取りドラム（５０）の方向とは概して反対の方向に動くように構成される、前記連続ループ（５２）と、
前記巻取りドラム（５０）及び前記連続ループ（５２）と共に巻取りスペース（Ｎ）を画定するライダロール（５４）であって、前記ライダロール（５４）は、前記連続ループ（５２）及び前記巻取りドラム（５０）に対して移動可能であり、前記コア（６２）の周りに前記ウェブ材料（Ｗ）を巻き取る間に、前記巻取りスペース（Ｎ）内の前記ログ（６４）の直径を増加させることができる、前記ライダロール（５４）と、
を備える、前記巻直し機（１００）。
【請求項２】
前記連続ループ（５２）は、前記ニップの間隔を変更するために前記巻取りドラム（５０）に対して移動可能である、請求項１に記載の巻直し機（１００）。
【請求項３】
前記連続ループ（５２）は、前記ログ（６４）が前記巻取りスペース（Ｎ）内を移動する表面を画定する前記巻取りドラム（５０）に面したスパン（１２８）を有する、請求項１に記載の巻直し機（１００）。
【請求項４】
前記連続ループ（５２）と前記巻取りドラム（５０）との間の前記ニップで、前記連続ループ（５２）にコア（６２）を送り出すように適合され、構成された転がり面を更に備える、請求項１に記載の巻直し機（１００）。
【請求項５】
前記コア（６２）の周りの前記ウェブ材料（Ｗ）の巻き取り中に、前記コア（６２）の端部に係合し、回転運動を前記コア（６２）に伝達するように適合され、構成された少なくとも１つのコア端部係合アセンブリ（８０）を更に備える、請求項１に記載の巻直し機（１００）。
【請求項６】
前記少なくとも１つのコア端部係合アセンブリ（８０）は、前記コア（６２）の内面と係合するように構成されたチャック（８２）を備える、請求項５に記載の巻直し機（１００）。
【請求項７】
前記連続ループ（５２）は、前記ウェブ材料（Ｗ）を前記コア（６２）の周りに巻き取る間に、前記巻取りドラム（５０）の速度に対して速度を変えるように適合され、構成される、請求項１に記載の巻直し機（１００）。
【請求項８】
巻取りドラム（５０）の中心軸の周りに巻取りドラム（５０）を回転させ、前記巻取りドラム（５０）の周りにウェブ材料（Ｗ）を導くこと、
前記巻取りドラム（５０）に対して間隔を空けた関係で連続ループ（５２）を配置して、前記巻取りドラム（５０）に面する前記連続ループ（５２）の表面と前記巻取りドラム（５０）との間にニップを形成すること、
コア（６２）を挿入し、前記巻取りドラム（５０）に面する前記連続ループ（５２）の前記表面と前記巻取りドラム（５０）との間の前記ニップを通して前記ウェブ材料（Ｗ）を導くこと、
前記連続ループ（５２）及び前記巻取りドラム（５０）に対してライダロール（５４）を配置して、前記巻取りドラム（５０）及び前記連続ループ（５２）と共に巻取りスペース（Ｎ）を画定すること、
前記巻取りスペース（Ｎ）で前記コア（６２）の周りに前記ウェブ材料（Ｗ）を巻き取り、巻かれたウェブ材料（Ｗ）のログ（６４）を形成するようにして、前記連続ループ（５２）、前記巻取りドラム（５０）、及び前記ライダロール（５４）を操作すること、
を含む、方法。
【請求項９】
前記巻取りドラム（５０）に対して前記連続ループ（５２）を移動して、前記ニップの間隔を変更することを更に含む、請求項８に記載の方法。
【請求項１０】
前記連続ループ（５２）及び前記巻取りドラム（５０）に対して前記ライダロール（５４）を移動して、前記コア（６２）の周りに前記ウェブ材料（Ｗ）を巻き取る間に、前記巻取りスペース（Ｎ）で前記ログ（６４）の直径を増加させることを可能にすることを更に含む、請求項８に記載の方法。
【請求項１１】
少なくとも１つのコア端部係合アセンブリ（８０）で前記コア（６２）を係合し、前記少なくとも１つのコア端部係合アセンブリ（８０）で前記コア（６２）の周りにウェブ材料（Ｗ）を巻き取る間に、回転運動を前記コア（６２）に伝達することを更に含む、請求項８に記載の方法。
【請求項１２】
前記コア（６２）を前記少なくとも１つのコア端部係合アセンブリ（８０）と係合させるステップは、前記コア（６２）が回転させられ、前記ログ（６４）が前記巻取りドラム（５０）及び前記連続ループ（５２）と接触した後に、前記コア（６２）を係合させることを含む、請求項１１に記載の方法。
【請求項１３】
前記コア（６２）への前記ログ（６４）の巻き取りが完了する前に、前記コア（６２）から前記少なくとも１つのコア端部係合アセンブリ（８０）を解放することを更に含む、請求項１１に記載の方法。
【請求項１４】
前記コア（６２）を少なくとも１つのコア端部係合アセンブリ（８０）に係合させることは、第１のコア端部係合アセンブリ（８０）を使用して前記コア（６２）の一端を係合すること、及び第２のコア端部係合アセンブリ（８０）を使用して前記コア（６２）の軸方向反対側の端部を係合すること、及び前記コア端部係合アセンブリ（８０）を使用して、前記コア（６２）に軸方向の引張力を加えることを含む、請求項１１に記載の方法。
【請求項１５】
前記連続ループ（５２）により前記巻取りスペース（Ｎ）で前記ログ（６４）を支持することを更に含む、請求項８に記載の方法。
【請求項１６】
前記巻取りスペース（Ｎ）で前記コア（６２）の周りに前記ウェブ材料（Ｗ）を巻き取り、前記ログ（６４）を形成するようにして、前記連続ループ（５２）、前記巻取りドラム（５０）、及び前記ライダロール（５４）を操作するステップが、前記コア（６２）の周りに前記ウェブ材料（Ｗ）を巻き取る間に、前記巻取りドラム（５０）の前記速度に対して前記連続ループ（５２）の速度を変化させることを含む、請求項８に記載の方法。
【請求項１７】
前記巻取りスペース（Ｎ）で前記コア（６２）の周りに前記ウェブ材料（Ｗ）を巻き取り、前記ログ（６４）を形成するようにして、前記連続ループ（５２）、前記巻取りドラム（５０）、及び前記ライダロール（５４）を操作することが、前記巻取りドラム（５０）の前記速度に対して前記連続ループ（５２）の速度を低下させて、前記巻取りドラム（５０）と前記連続ループ（５２）との間の前記ニップを通して前記コア（６２）を前進させることを含む、請求項８に記載の方法。
【請求項１８】
前記巻取りスペース（Ｎ）で前記コア（６２）の周りに前記ウェブ材料（Ｗ）を巻き取り、前記ログ（６４）を形成するようにして、前記連続ループ（５２）、前記巻取りドラム（５０）、及び前記ライダロール（５４）を操作することが、前記巻取りドラム（５０）の前記速度に対して前記連続ループ（５２）の速度を低下させて、前記巻取りネストから前記ログ（６４）を前進させることを含む、請求項８に記載の方法。